(57)【特許請求の範囲】
【請求項１】
容器本体と塗布部材を取着したキャップとからなる合成樹脂製の塗布具であって、
塗布部材が、塗布杆と、該塗布杆先端に連設され、十字形に突出した４本の縦方向に形成されたリブによって補強されたシャフトからなる塗布部材本体と、シャフトに射出成形により一体に取着される軟材質の素材によって成形されたブラシ部とを具備し、
塗布部材が直線状に形成され、シャフトのリブの部分がブラシ部の全長にわたって延びていることを特徴とする塗布具。
【請求項２】
先端にリブを付設されたシャフトを具えた塗布部材本体を、射出金型内に挿入し、
金型内に軟材質の素材を射出してブラシ部を成形し、塗布部材を直線状に形成するようにしたことを特徴とする請求項１記載の塗布具の成形方法。
【発明の詳細な説明】
【技術分野】
【０００１】
本発明は、塗布具、とくにブラシ毛をエラストマー等の軟材質の素材をもって成形した塗布具に関するものである。
【背景技術】
【０００２】
マスカラ等の化粧料塗布具のブラシ毛にエラストマーを用いることは、従来より知られている（例えば、特許文献１、特許文献２、特許文献３参照）。
【特許文献１】特開平６−２２８１５号公報
【特許文献２】特開２００１−６１５４６号公報
【特許文献３】特開２００２−３０６２３９号公報
【発明の開示】
【発明が解決しようとする課題】
【０００３】
しかしながら、上記各特許文献記載の従来の塗布具は、いずれもブラシ毛と、ブラシ毛を取着する塗布杆とを別体として成形し、塗布杆先端部に設けた心材にブラシ毛を取付けるようにしていた。
そのため、複雑な工程が増え、生産コストが高くつくという問題があった。
【０００４】
本発明は、上記の問題を解決することを課題とし、ブラシ毛にエラストマー等の軟材質の素材を用い、塗布杆と一体成形するとともに、塗布杆先端のシャフトに剛性をもたせた直線状の塗布部材を具備した化粧料塗布具を提供することを目的とする。
【課題を解決するための手段】
【０００５】
本発明は、上記の課題を解決するため、塗布具として、容器本体と塗布部材を取着したキャップとからなる合成樹脂製の塗布具であって、塗布部材が、塗布杆と、該塗布杆先端に連設され、十字形に突出した４本の縦方向に形成されたリブによって補強されたシャフトからなる塗布部材本体と、シャフトに射出成形により一体に取着される軟材質の素材によって成形されたブラシ部とを具備し、塗布部材が直線状に形成され、シャフトのリブの部分がブラシ部の全長にわたって延びていることを特徴とする構成を採用する。
【０００６】
塗布具の成形方法として、先端にリブを付設されたシャフトを具えた塗布部材本体を、射出金型内に挿入し、金型内に軟材質の素材を射出してブラシ部を成形し、塗布部材を直線状に形成するようにしたことを特徴とする構成を採用する。
【発明の効果】
【０００７】
先端にリブによって補強され、一定の剛性を有するシャフトを具えた塗布部材本体を金型内にインサートして、シャフトに取着されるブラシ部を、軟材質を素材として射出成形しているので、直線状の塗布部材であって、ブラシ部を塗布部に柔軟に接触させることができた。
【発明を実施するための最良の形態】
【０００８】
次に、本発明の塗布具をマスカラ塗布具に適用した実施形態について、図面を参照して説明する。
図１において、Ａは容器本体、Ｂはしごき中栓、Ｃはキャップ、ＤはキャップＣに取着された塗布部材である。
【０００９】
容器本体Ａは、口部１と肩部２、胴部３と底部とからなり、口部１にはねじ４が螺設されており、内部にマスカラ、その他の化粧料が収納されている。
【００１０】
しごき中栓Ｂは、上端にフランジ５を突設した筒体６を具えている。
筒体６は、その中間部から内方に斜め下方に突出したワイパー７を設けており、筒体６の外周下方には、肩部２の下面に係合し、しごき中栓Ｂの上昇を阻止する膨出部８が突設されている。
しごき中栓Ｂは、その筒体６を容器本体Ａの口部１内周に嵌挿することによって取着されるが、しごき中栓Ｂと容器本体Ａとを一体成形するようにしてもよい。
【００１１】
キャップＣは、頂壁１０と側周壁１１とからなり、側周壁１１の下方部内面には、塗布部材Ｄを嵌着する嵌合部１２が設けられ、その中間には、凹溝１３が設けられている。
嵌合部１２の下方部は拡径され、容器本体Ａのねじ４と螺合するねじ１４が設けられた螺合部１５となっている。
【００１２】
図１、２に示すように、塗布部材Ｄは、嵌合筒部２０と、先端にシャフト２１を設けた塗布杆２２とを具えた塗布部材本体Ｄ１と、塗布部材本体Ｄ１のシャフト２１に取着されるエラストマー等の軟材質を素材として成形されたブラシ部Ｄ２とからなっている。
塗布部材本体Ｄ１は、ポリアセタール(ＰＯＭ)、ポリブチレンテレフタレート（ＰＢＴ）、ポリエチレンテレフタレート（ＰＥＴ）、ポリカーボネート（ＰＣ）等を素材樹脂として成形されている。
【００１３】
嵌合筒部２０は、外周がキャップＣの嵌合部１２内周に挿入される側周壁２３と、中心部から塗布杆２２を垂設する底壁２４とからなっている。
側周壁２３の下方部には、キャップＣの凹溝１３に係合する膨出環２５が突設され、底壁２４の下面周縁部は、容器の開蓋時にしごき中栓Ｂのフランジ５上面に当接するようになっている。
【００１４】
塗布杆２２の上方には、容器の閉蓋時に下部面がしごき中栓Ｂのワイパー７の上面に係合し、容器内を閉蓋する拡径された膨出部２６と、膨出部２６の下部にワイパー７の内方先端と係合する縮径された縮径部２７が設けられ、塗布杆２２の下端には、ブラシ部Ｄ２を取着するシャフト２１が垂設されている。
シャフト２１は、縦方向にリブ２８が設けられており、一定の剛性が付与されている。
【００１５】
リブ２８は、図２ではシャフト２１から十字形に突出した４本のリブ２８によって形成されているが、単数であってもよく、また、シャフト２１の全長にわたらなくても、部分的、間欠的であってもよく、シャフト２１が補強されて一定の剛性を有するものであれば、実施例に限定されない。
【００１６】
ブラシ部Ｄ２は、エラストマー等の軟材質を素材とし、射出成形により、塗布部材本体Ｄ１のシャフト２１を包み込むように取着されたブラシ基体３０と、ブラシ基体３０の外周から放射状に突出した径が約０．１５〜０．３ｍｍの円形断面のブラシ毛３１とによって形成されている。
【００１７】
次に、本発明塗布具の成形方法と、塗布具の作用効果について説明する。
容器本体Ａ、しごき中栓Ｂ、キャップＣは、従来公知の樹脂材料と方法により成形されているので説明を省略し、とくに、塗布部材Ｄの成形方法について説明する。
塗布部材本体Ｄ１は、合成樹脂を素材として射出成形され、図３に示すように、ゲートＧを設けた射出成形金型に他方よりインサートされ、加熱溶融したエラストマーがゲートＧより射出してブラシ部Ｄ２が成形される。
【００１８】
成形された塗布部材Ｄは、インサートされた塗布部材本体Ｄ１のシャフト２１に、リブ２８を付設したことによって一定の剛性が付されているので、エラストマーの射出時に、シャフト２１に対する押圧力によって変形、湾曲することはなく、直線状の塗布部材Ｄを得ることができる。
【００１９】
化粧料の塗布にあたっては、ブラシ毛３１が容易に湾曲するので、所望する塗布部に柔軟に接触させることができる。
したがって、塗布部材として、直線状であっても、ブラシ部Ｄ１を曲げたと同様の効果を得ることができるので、マスカラ用塗布具として、有効に使用することができ、また、直線状の剛性を有する化粧料塗布具として、眉毛や、アイシャドー、染毛剤の塗布にも利用することができる。
【産業上の利用可能性】
【００２０】
本発明は、塗布部材本体先端のシャフトに一定の剛性をもたせ、軟材質のブラシ部を射出成形により一体化したから、直線状の塗布部材を得ることができ、マスカラ、その他の化粧料の塗布具として、広く利用できるようになった。
【図面の簡単な説明】
【００２１】
【図１】本発明塗布具の一部断面立面図である。
【図２】塗布部材のブラシ部の説明図で、（ａ）は断面立面図、（ｂ）は図（ａ）のＡ−Ａ線における横断面図である。
【図３】ブラシ部の射出成形時に、塗布部材本体をインサートしたときの説明図である。
【符号の説明】
【００２２】
Ａ         容器本体
Ｂ         しごき中栓
Ｃ         キャップ
Ｄ         塗布部材
Ｄ１       塗布部材本体
Ｄ２       ブラシ部
Ｇ         ゲート
１         口部
３         胴部
４、１４   ねじ
５         フランジ
６         筒体
７         ワイパー
１０       頂壁
１１、２３ 側周壁
１２       嵌合部
２０       嵌合筒部
２１       シャフト
２２       塗布杆
２４       底壁 
２８       リブ
３０       ブラシ基体
３１       ブラシ毛
【図１】
0004749778.tif 000002
【図２】
0004749778.tif 000003
【図３】
0004749778.tif 000004